(57)【要約】  人の対向する上歯および下歯の少なくとも一部のモールドから歯科模型を形成する歯科モデリングシステム。モデリングシステムは、対向ベースに一体化された歯科咬合器形体、および着脱式テーパ状ピンを受けるように構成された歯科模型ベースを含む。システムは、歯科模型を生成する場合に、歯科モールドの歯の位置合わせを改良するピンロケータも含む。ピンロケータは、歯科モールドの特定の歯の位置合わせに使用される着脱式テーパ状ピンも含むことができる。【選択図】図１
2009531145.tif 000002
【特許請求の範囲】
【請求項１】
人の歯のモールドから形成された対向歯科模型を装着するように構成された係合表面、および
自身の一方端に蝶番部材を含む接続アームを含む
対向ベースと、
自身のベースから延在し、前記対向歯科模型を前記対向ベース部材に装着する場合に、前記モールドの歯印象と位置合わせされるように配置構成された複数の細長いピン、および
自身のベースから延在し、前記対向ベース部材の前記蝶番部材に取り付けられて、その間に旋回接続を提供するように構成された蝶番部材を一方端に含む接続アームを含む
ピンロケータと、
複数の穴を有し、前記対向歯科模型が前記対向ベースに装着された後に、前記モールドから形成された歯科模型を装着するように構成された主要表面、および
前記ピンロケータの蝶番部材の代わりに、前記対向ベースの前記蝶番部材に取り付けられ、前記歯科模型ベースと前記対向ベースの間に旋回接続を提供するように構成された蝶番部材を一方端に含む接続アームとを含む前記歯科模型ベースと
を備える歯科モデリングシステム。
【請求項２】
前記歯科模型ベースの前記複数の穴が第一および第二セットの穴を含み、前記第一セットの穴が、前記歯科模型ベースの長さに沿って線形に位置合わせされ、前記第二セットの穴が前記第一セットの穴に非平行に位置合わせされる、請求項１に記載の歯科モデリングシステム。
【請求項３】
前記歯科模型ベースの前記主要表面が、前記第一セットの穴の各穴に関連する少なくとも２つの割り出し部材を含み、前記割り出し部材が、前記第一セットの穴の各穴の対向する側に配置される、請求項２に記載の歯科モデリングシステム。
【請求項４】
所与の穴に関連する前記割り出し部材が、様々なサイズを有する、請求項３に記載の歯科モデリングシステム。
【請求項５】
前記第二セットの穴が少なくとも２つの穴を含み、前記軸方向に位置合わせされた第二セットの穴の対向する側に、別個の穴が配置される、請求項２に記載の歯科モデリングシステム。
【請求項６】
前記第二セットの穴が少なくとも４つの穴を含み、１対の穴が、前記軸方向に位置合わせされた第二セットの穴の対向する側に、前記第一セットの穴の端穴と位置合わせされて配置される、請求項５に記載の歯科モデリングシステム。
【請求項７】
前記対向ベースおよび歯科模型ベースの前記蝶番部材が、対向ベースおよび歯科模型ベースの相互に対する回転運動を少なくとも１つの回転方向に制限して、前記対向ベースの前記係合表面と前記歯科模型ベースの前記主要表面との平行な配置構成を提供するように構成された対合止め形体を含む、請求項１に記載の歯科モデリングシステム。
【請求項８】
前記対向ベースの前記接続アームの最大幅が、前記対向ベースの前記係合表面の最大幅以下であり、前記歯科模型ベースの前記接続アームの最大幅が、前記歯科模型ベースの前記主要表面の最大幅以下である、請求項１に記載の歯科モデリングシステム。
【請求項９】
前記ピンロケータが、着脱式テーパ状ピンを受けるようなサイズである少なくとも１つの穴を含む、請求項１に記載の歯科モデリングシステム。
【請求項１０】
前記複数の細長いピンが線形に配置構成され、前記ピンロケータの前記少なくとも１つの穴が、前記線形に配置構成された細長いピンと位置合わせされずに配置される、請求項９に記載の歯科モデリングシステム。
【請求項１１】
前記対向ベースが全体的に長方形の形状であり、前記装着表面に対して窪んだ部分を含む、請求項１に記載の歯科モデリングシステム。
【請求項１２】
前記対向ベースが、前記窪んだ部分から延在し、前記窪みによって画定された内部側壁に隣接する列状に配置構成された複数の突起を含む、請求項１１に記載の歯科モデリングシステム。
【請求項１３】
歯科モデリングシステムを使用して人の歯のモールドから歯科模型を形成する方法であって、前記歯科モデリングシステムが、第一ベース部材、第二ベース部材、およびピンロケータを含み、前記第二ベース部材が、自身の支持表面から延在する少なくとも１つの着脱式ピンを含み、前記第一および第二ベース部材および前記ピンロケータがそれぞれ蝶番部材を含み、
第一旋回接続を形成するために、前記ピンロケータの前記蝶番部材と前記第一ベース部材を相互に結合するステップと、
前記モールドの第一側を第一成形用材料で充填し、前記成形用材料が前記第一ベース部材の前記支持表面と係合して、前記ピンロケータのピンが前記モールドの第二側の歯印象と位置合わせされた状態で、前記モールドを配置構成し、前記第一成形用材料を硬化させるステップと、
前記第一ベース部材と前記ピンロケータの前記蝶番部材を結合解除し、第二旋回接続を形成するために、前記および第二ベース部材の前記蝶番部材を相互に結合するステップと、
前記モールドの前記第二側を第二成形用材料で充填し、前記第二成形用材料を前記第二ベース部材の前記支持表面と係合させ、前記第二成形用材料を硬化させるステップと、
前記硬化した第一および第二成形用材料から前記モールドを外すステップと、を含む方法。
【請求項１４】
前記第二ベース部材の前記支持表面が、前記着脱式ピンを受けるように構成された複数の穴を含む、請求項１３に記載の方法。
【請求項１５】
前記第二ベース部材が、前記支持表面から延在する複数の割り出し部材を含み、少なくとも１つの前記割り出し部材が、前記複数の穴のそれぞれに隣接して配置される、請求項１４に記載の方法。
【請求項１６】
前記第二ベース部材の前記支持表面が、自身内に形成された第一および第二セットの穴を含み、前記第一セットの穴が、前記第二ベース部材の長さに沿って線形に位置合わせされ、前記第二セットの穴が、前記第一セットの穴に非平行に配置構成され、前記方法が、前記第二成形用材料を前記第二ベース部材の前記支持表面に係合させる前に、前記着脱式ピンを前記第一および第二セットの穴のうち少なくとも１つの穴に挿入することを含む、請求項１３に記載の方法。
【請求項１７】
前記ピンロケータが、着脱式ピンを受けるようなサイズである少なくとも１つの穴を含み、前記方法がさらに、前記第二ベース部材の前記支持表面から延在する前記着脱式ピンの位置に対応する少なくとも１つのピンロケータ穴に、着脱式ピンを挿入することを含む、請求項１３に記載の方法。
【請求項１８】
装着表面、前記装着表面から延在する少なくとも１つの保持構造、および自身の一方端に蝶番部材を含む接続アームを含む第一ベース部材と、
着脱式ピンを受けるように構成された複数の穴を有する装着表面を含む第二ベース部材と、を備え、前記第一ベース部材の前記複数の穴が、前記第一ベース部材の長さに沿って線形に位置合わせされて、不規則な間隔で隔置された第一セットの穴、前記複数の穴のそれぞれに関連し、前記装着表面から離れる方向に延在する割り出し部材、および旋回接続を提供するために、前記第一ベース部材の前記蝶番部材に取り付けられるように構成された蝶番部材を一方端に有する接続アームを含む、
歯科咬合器。
【請求項１９】
前記第二ベース部材が、前記第一セットの穴の端穴と位置合わせされ、前記線形に位置合わせされた第一セットの穴と非平行の配置構成で配置構成された第二セットの穴を含む、請求項１８に記載の歯科模型ベース。
【請求項２０】
前記第一ベース部材の前記接続表面と装着表面が、単一部片として一体形成される、請求項１８に記載の歯科模型ベース。
【請求項２１】
前記第一セットの穴の前記不規則な間隔が、患者の大臼歯と小臼歯の少なくとも幾つかの間隔に対応する、請求項１８に記載の歯科模型ベース。
【請求項２２】
前記第二セットの穴が、患者の前記犬歯および側歯の少なくとも１つの間隔に対応する、請求項１９に記載の歯科模型ベース。
【請求項２３】
前記第二セットの穴が、患者の上歯セットの右側または左側、または患者の下歯セットの右側または左側の少なくとも１つの犬歯に対応するように配置構成される、請求項１９に記載の歯科模型ベース。
【請求項２４】
前記第一および第二ベース部材の前記接続アームが、前記第一および第二ベース部材それぞれの最大幅寸法以下の最大幅寸法を有する、請求項１６に記載の歯科模型ベース。
【請求項２５】
少なくとも１つの模型ベースを含む歯科モデリングシステムとともに使用するピンロケータであって、
装着表面を画定する本体部材と、
前記装着表面から、間隔をあけて、前記本体部材の長さに沿って全体的に線形の配置構成で延在する複数の固定ロケータピンと、
前記装着表面に形成され、着脱式ロケータピンを受けるように構成された少なくとも１つの穴と、を備え、
前記ピンロケータが、蝶番接続で前記歯科模型ベースに取り付けられるように構成され、前記歯科模型ベースに歯科モールドを着脱式に装着する場合に、前記歯科モールドの歯印象と位置合わせされるように前記ロケータピンが構成されるピンロケータ。
【請求項２６】
前記装着表面に形成された複数の穴を備え、前記複数の穴がそれぞれ、前記線形に配置構成された複数の固定ロケータピンから偏って配置構成される、請求項２５に記載のピンロケータ。
【請求項２７】
前記複数の固定ロケータピンの前記間隔および配置構成が、前記歯科モールドの大臼歯および小臼歯の歯印象の配置構成に対応し、前記複数の穴の前記間隔および配置構成が、前記歯科モールドの前記犬歯および側歯の少なくとも１つに対応する、請求項２５に記載のピンロケータ。
【請求項２８】
さらに、前記本体部材と一体形成され、前記本体部材の縦軸に平行な方向に延在する接続アームを備え、前記接続アームが、前記蝶番接続を提供するために、自身の端部に蝶番構造を含む、請求項２５に記載のピンロケータ。
【請求項２９】
装着表面を有し、前記装着表面の上面図から見た場合に、全体的に長方形の輪郭を有する第一ベース部材と、
自身着脱式ピンを受けるようなサイズである複数の穴が形成された主要表面を有する第二ベース部材とを備え、前記第一ベース部材が、前記主要表面の上面図から見て全体的に長方形の輪郭を有し、さらに、
前記第一および第二ベース部材を相互に蝶番関係で結合し、前記第一ベース部材から延在する第一接続アーム、前記第二ベース部材から延在する第二接続アーム、および前記第一および第二ベース部材の相対回転を少なくとも１つの回転方向で停止するように構成された止め部材を含み、前記接続アームが、前記第一および第二ベース部材の縦軸に実質的に平行な方向に延在する蝶番構造と、を備える
歯科咬合器。
【請求項３０】
前記接続アームが、前記第一および第二ベース部材と一体形成される、請求項２９に記載の歯科咬合器。
【請求項３１】
前記蝶番構造が、前記第一および第二ベース部材それぞれから延在する第一および第二接続アーム、および前記第一接続アームと第二接続アームの間に結合された蝶番構造を含む、請求項２９に記載の歯科咬合器。
【請求項３２】
前記蝶番構造の最大幅が、前記第一および第二ベース部材の最大幅以下である、請求項２９に記載の歯科咬合器。
【請求項３３】
ピンロケータのロケータピンを歯科モールドの歯印象と位置合わせして配置することと、
前記歯印象を硬化性材料で充填することと、
歯科模型のピンを前記成形用材料と係合させ、前記歯科模型ベースのピンを、前記ロケータピンの間隔と実質的に等しく隔置することと、
前記歯科模型を形成するために、前記硬化性材料を硬化させることと、を含む
歯科模型を形成する方法。
【請求項３４】
前記ロケータピンの少なくとも１つが、前記ピンロケータに着脱式に取り付けられ、前記歯科模型ベースの前記ピンの少なくとも１つが、前記歯科模型ベースに着脱式に取り付けられる、請求項３３に記載の方法。
【請求項３５】
さらに、前記歯科モールドを対向ベースに着脱式に固定することと、前記対向ベースを前記歯科模型ベースに蝶番接続で着脱式に接続することとを含む、請求項３３に記載の方法。
【発明の詳細な説明】
【技術分野】
【０００１】
本出願は米国市民Ｒｏｎａｌｄ  Ｅ．  Ｈｕｆｆｍａｎの名前でＰＣＴ国際特許出願として２００７年３月２７日に出願されている。
【０００２】
本発明は、歯科模型および歯科模型を形成する方法に関する。特に、本発明は歯科咬合器およびこれを使用して歯科模型を形成する方法に関する。
【背景技術】
【０００３】
人の歯のモールドから歯科模型を生成することは、よく知られている仕事である。歯科模型は、例えば歯冠、ブリッジおよび歯科矯正などの歯科作業に使用される。人の歯のモールドは通常、患者が、人の歯および歯肉の陰型を画定するモールドキャビティを生成するように硬化する柔軟な注型材料を噛んで形成される。モールドは、人の歯および歯肉の線の全部または任意の部分を表すことができる。歯科模型を形成する場合は、注型適性材料をモールドの陰型に注入し、注型適性材料が硬化した結果、患者の歯および歯肉の石のレプリカまたは歯科模型になる。
【０００４】
ますます普及している一タイプの歯科モールドは、三重トレーモールドである。三重トレーモールドは、人の口の対向する上歯と下歯の印象を含む。三重トレーモールドは、人の口の上部または底部の損傷した歯の歯科模型と、損傷した歯に面する歯の対向歯科模型とを同時に生成するために使用されることが最も多い。三重トレーモールドは、患者の奥歯の一方側または他方側を表す四分の一の形状であるか、前歯を捕捉する完全な円弧でよい。三重トレーモールドには、モールドの歯の印象と歯科模型を支持する歯科模型ベースの装着形体との適切な位置合わせの問題がある。
【発明の開示】
【発明が解決しようとする課題】
【０００５】
多くの場合、キャスト歯科模型を相互に対して配向し、それによって相互に対して配置された患者の上歯と下歯を表す咬合器装置に歯科模型を装着すると有利である。歯科咬合器および歯科模型形成方法、特に三重トレーモールドを使用する方法を改良すると有利である。
【課題を解決するための手段】
【０００６】
本開示は、例えば対向ベースと歯科模型ベースを統合した咬合器を含む歯科モデリングシステムに適用可能である。本開示は、歯科モールドの歯を歯科模型ベースの対応する着脱式ピンと位置合わせするピンロケータにも関する。歯科模型ベースは、複数の着脱式ピンおよび割り出し突起を含むことができる。ピンロケータは、歯科模型の様々な歯と位置合わせするための着脱式および固定式ピンも含むことができる。これらの歯科モデリングシステムおよび咬合器は、特に完全な円弧および四分の一の歯科モールドを使用して前歯と奥歯をモデリングするように設計することができる。
【０００７】
本開示の別の態様は、咬合器の蝶番構造に関する。蝶番構造は、歯科モデリングシステムの各構成要素（例えば対向する上下のベース、歯科模型ベース、およびピンロケータ）と一体形成され、そこから延在する接続アームを含む。蝶番構造は、相互に結合された２つの構成要素間の相対的回転を少なくとも１つの回転方向で制限する止め部材を含むことができる。蝶番は、対向ベースと歯科模型ベースのうち少なくとも一方の幅以下である幅を有することができる。
【０００８】
本発明の以上の要約は、本発明の各実施形態または全ての実施例を説明するものではない。図および以下の詳細な説明は、特に好ましい実施形態を例示する。
【０００９】
本発明は、本発明の好ましい実施形態に関する以下の詳細な説明を添付図面との関連で考察すると、さらに完全に理解することができる。
【００１０】
本発明は、様々な変形および代替形態に適するが、その詳細が図面で例示により示されており、詳細に説明される。しかし、その意図は、説明される特定の実施形態に本発明を限定するものではないことを理解されたい。逆に、その意図は、本発明の精神および範囲に入る全ての変形、同等物、および代替物を含む。
【発明を実施するための最良の形態】
【００１１】
本開示は、例えば一体化された対向ベースおよび歯科模型ベースがある咬合器を含む歯科モデリングシステムに適用可能である。本開示は、モールドから歯科模型を形成する場合に歯科モールドの歯の位置合わせを改良したピンロケータにも関する。ピンロケータは、歯科モールドの様々な歯と位置合わせする場合に使用する着脱式ピンを含むことができる。歯科模型ベースは、歯科模型ベースに装着された歯科模型から個々の歯を分離する場合に有用な複数の着脱式ピンおよび割り出し突起を含むことができる。本明細書で説明する歯科モデリングシステムおよび咬合器は、主として前歯または奥歯を表すモールドを使用して前歯および奥歯をモデリングするように設計することができる。本開示はこれらに限定されないが、本開示の様々な態様は、以下で提供する実施例の検討を通して理解される。
【００１２】
Ｉ．図１から図１５の四分の一咬合器システム
図１から図１５を参照し、実施例の四分の一歯科モデリングアセンブリ１０を図示し、説明する。図１は、上下ピンロケータ１２、１４、上下歯科ベース１６、１８、および上下対向ベース２０、２２を含むシステム１０の６つの主要構成要素を示す。ピンロケータ、歯科模型ベース、および対向ベースのそれぞれの上下バージョンが、図１では全体的に同じサイズ、形状、および特徴を有するように図示されているが、上下部品の対のそれぞれの間には多少の差異がある。上下部品の蝶番形体が、上下部品の主な違いの１つである。
【００１３】
上下ピンロケータ１２、１４は、ＤＥＮＴＡＬ  ＭＯＤＥＬＩＮＧ  ＡＰＰＡＲＡＴＵＳ  ＡＮＤ  ＭＥＴＨＯＤＳと題した共願の米国公開特許出願第２００４／００２９０７１号に記載されたピンロケータに類似した特徴を含む。歯科ベース１６、１８は、ＤＥＮＴＡＬ  ＭＯＤＥＬ  ＢＡＳＥ  ＱＵＡＤＲＡＮＴ  ＷＩＴＨ  Ａ  ＰＬＵＲＡＬＩＴＹ  ＯＦ  ＩＮＤＥＸＩＮＧ  ＰＩＮＳと題した共願の米国特許出願第２９／２１６，６９７号に開示されたものに類似した特徴を含む。対向ベース２０、２２は、ＤＥＮＴＡＬ  ＭＯＤＥＬＩＮＧ  ＡＳＳＥＭＢＬＹ  ＡＮＤ  ＭＥＴＨＯＤＳと題した共願の米国公開出願第１１／１５０，８４９号、およびＯＰＰＯＳＩＮＧ  ＤＥＮＴＡＬ  ＭＯＤＥＬ  ＢＡＳＥ  ＱＵＡＤＲＡＮＴと題した米国特許第２９／２３０，４０８号に開示された対向ベースに類似した幾つかの特徴を含む。このパラグラフで引用した特許関連の文書は、参照により全体が本明細書に組み込まれる。
【００１４】
Ａ．ピンロケータ
上下ピンロケータ１２、１４を、図１から図５に関して説明する。ピンロケータ１２、１４はそれぞれ、ベース部材３０、複数のロケータピン３２、テーパ状ピンを受けるようなサイズである複数の穴３４、および蝶番部分３６を含む。ベース部材３０は、上下側３８、４０、前後端４２、４４、および第一および第二側４４、４８を含む。リブ部材５０がピンロケータの縦方向長さに沿って延在する。第一および第二側４６、４８のそれぞれに沿って切り欠き５２が形成され、人の歯のモールド内で第一大臼歯（図２および図４Ｂに示すＭ１）と位置合わせするために、切り欠き５２内に大臼歯マーカ５４が配置される。
【００１５】
リブ５０は、切り欠き５２の結果として比較的薄く狭いピンロケータの形状に、追加の強度および剛性を提供することができる。リブ５０は、ピンロケータ１２、１４を把持するために使用することもできる。ピンロケータ１２、１４の比較的小さいサイズおよび形状の幾つかの利点は、例えば最小量の材料を使用し、その結果、費用が削減され、様々な角度からのピンの見え方が改良されることである。ピンロケータ１２、１４の設計も、剛性および強度を改良することができ、複数のロケータピン３２がより正確に配置される。
【００１６】
ピンロケータの底側４０は、ロケータピン３２が装着される装着表面（参照番号４０として指示）を画定する。ロケータピン３２は、以下でさらに詳細に説明するように、図１４および図１５に示す穴のレイアウトにしたがって、ピンロケータ１２、１４の長さに沿って軸方向に隔置される。図１から図５に示すピン３２は、人の歯のモールドによる大臼歯Ｍ１〜Ｍ３および小臼歯Ｂ１〜Ｂ２の配置に対応する。ピン３２は、底側４０に画定された穴内に装着される着脱式ピンでよい。あるいは、ピン３２は、底側４０と一体形成することができる。
【００１７】
複数の穴３４が底側４０を通って延在し、図１３に示すピン６８などの着脱式テーパ状ピンを受けるようなサイズである。穴３４は、犬歯および側歯（図２参照）の位置を表す穴５６、５８の対に分割される。穴５６、５８の対は、ロケータピン３２の線状アレイからずれる。穴５６、５８の配置の一部は、図１４および図１５に示す穴の線図からも決定される。
【００１８】
穴３４を画定する別の方法は、これを穴５７、５９の対に分割することであり、これはそれぞれ、ロケータピン３２の線形アレイによって画定された中心線の対向する側に配置される。穴５７、５９の対は、穴５６、５８の各セットのうち少なくとも１つの穴を含むことができ、それによって１つの犬歯および１つの側歯の穴を含む。このように述べると、中心線の反対側にある穴の各対は、人の上下の歯セットの右側または左側にある歯の湾曲を表す。その結果、ピンロケータ１２、１４を、人の歯の左側または右側四分の一のモールドまたは印象とともに使用することができる。左側および右側の対５７、５９はそれぞれ、相互に位置合わせされると、ピン３２の中心線に対して角度θ（図３参照）で交差する中心線を有する穴５６、５８のうち１つを含む。
【００１９】
穴３４は、ピンロケータ１２、１４に着脱式に装着されたロケータピンと置換することができる。あるいは、ロケータピンは、穴３４内に配置されると、所定の位置に永久的に固定される。他の配置構成では、１つまたは複数の穴３４を、永久的に装着されるロケータピン３２で置換する。
【００２０】
各ピンロケータ１２、１４の蝶番部分３６は、接続アーム６０、それぞれ下部および上部ピンロケータ１２、１４のオスまたはメス蝶番コネクタ、および止め部材６６を含む。接続アーム６０の少なくとも一部が、装着表面および底側４０の面に対して角度β（図４Ａ参照）にて延在する。接続アームは、ベース部材３０から延在する複数の脚部またはアーム部材を含むことができる。図１から図５の実施形態は接続アーム形体を含み、これは第一端がベース部材の底側４０に結合され、第二端がオスまたはメス蝶番コネクタ６２、６４に結合される。
【００２１】
止め部材６６は、接続アームから底側４０に画定された装着表面に対してほぼ直角の方向に延在する。止め部材６６は、ベース部材３０との取り付け点とオスまたはメスコネクタ６２、６４の間に接続アームの長さに沿って配置される。他の実施形態では、止め部材６６は、図面に示した底側表面４０に対してほぼ直角の方向ではない他の角度で延在することができる。さらに、止め部材６６は、他の実施形態では異なる形状およびサイズを有し、以下で説明する同様の形状および方向の止め部材１１６および１６６以外に、対向システム構成要素（例えば歯科模型ベースおよび対向ベース）の他の形体に接触することができる。
【００２２】
Ｂ．歯科模型ベース
歯科模型ベース１６、１８はそれぞれ、ベース部材７０、等間隔でない穴７３および犬歯および側歯の穴１０６、１０８の線形アレイを含む複数の穴７２を含む。ベース１６、１８は、複数の大中小の割り出し部材７３〜７５、および蝶番部分７６も含む。
【００２３】
ベース部材７０は上側および底側７８、８０を含み、底側は、歯科模型を装着する主要装着表面（参照番号８０として指示）を画定する。ベース部材７０は前後端８２、８４、第一および第二側８６、８８、複数の突起１００が配置されたキャビティ９２（図８参照）を画定する連続的側壁９０も含む。ベース部材７０は、前後端８２、８４に形成されたスペーサ棒窪み９６、９８、および窪み９６、９８と位置合わせした打ち抜き部分９７も含み、これを通してスペーサロッドが延在することができる（図１１および図１２参照）。大臼歯マーカ９２は、歯科モールドの第一大臼歯（Ｍ１）を結果となる歯科模型の第一大臼歯（Ｍ１）に関連する穴７２の１つと位置合わせするために、第一および第二側８６、８８に配置される。
【００２４】
歯科模型ベース１６、１８は、それを構築する際に最小量の材料を使用するが、それでも底側８０に装着された複数のテーパ状ピン１１５および歯科模型を支持するために所望の構造的剛性を提供するように設計される。歯科模型ベースに使用される材料の量を最小限にする１つの方法は、連続側壁９０によって画定されたキャビティ９２を用いてベース１６、１８を形成することである。複数の突起１００は、複数の穴７２のうち１つと位置合わせされて、複数のテーパ状ピン１１５を保持する支持構造体を提供する。穴７２および突起１００は、ピン１１５のテーパ状表面と一致する角度でテーパ状になる内部キャビティを画定し、それによってテーパ状ピンと内部テーパ状キャビティとの間に干渉嵌めを提供する。あるいは、穴７２はテーパ状内部キャビティを含まない。他の配置構成では、穴７２は内部テーパ状キャビティを含み、ピン１１５はテーパ状表面を含まない。穴７２は、ピン１１５をベース１６、１８に永久的に装着するか、着脱式に装着するように構成することができる。
【００２５】
穴７２は、底側８０に沿って、人の口内にある実際の歯の平均的位置と一致する間隔で配置される。実施例の穴の間隔を、図１４および図１５を参照しながら説明する。代替配置構成では、穴７２は、参照により本明細書に組み込まれる米国特許第６，４７１，５１３号および第Ｄ４５２，３２１号に記載されている穴のように、様々な間隔および複数の列の穴を有することができる。あるいは、参照により本明細書に組み込まれる米国特許第６，８８４，０６８号に記載されているように、歯科モールドの問題の歯に対する穴の正確な位置を割り出した後に、穴７２を底側８０に穿孔することができる。
【００２６】
大中の割り出し部材７３、７４は、主要表面８０上にある穴７３の線形アレイそれぞれの交互の側に配置される。小さい割り出し部材７４は、穴７２の一方の横側に沿って配置されるように図示されている。大中小の割り出し部材７３〜７５の組合せは、結果となる歯科模型の個々の歯を歯科模型ベース１６、１８に無意識に置き違えるのを保証するのに役立つ。通常、歯科模型（例えば図９および図１０の歯科模型６、８参照）を形成した後、歯科模型は、少なくとも問題の歯が歯科模型の部分およびその歯の対向する側から分離されている状態で、１つまたは複数の歯に切り分けられる。多くの場合、１つの模型から複数の歯を切断する。歯科模型ベース１６、１８に対して切り取ったこれらの歯を除去し、置換すると、これらの歯を置き違えることがある。割り出し部材７３〜７５は、様々なサイズおよび位置により、歯の模型に関連するテーパ状ピンを不正確な穴に挿入すると、主要表面８０に対してその歯の模型が面一に装着されるのを阻止することができる。
【００２７】
割り出し部材７３〜７５は、図面の特定のサイズを有する特定の配置構成で図示されているが、割り出し部材のこの形状、サイズおよび方向は、可能な多くの異なる形状、サイズおよび方向の例示にすぎない。例えば、他の実施形態では、小、中および大、小と中、小と大、または中と大の割り出し部材の様々な組合せを、１つまたは複数の穴７２との関連で使用することができる。さらに、割り出し部材の形状は、図面に示した全体的に円筒形でペグ形の割り出し部材と異なってよい。他の実施形態では、割り出し部材は長方形、三角形または他の形状の断面を有してよい。あるいは、１つまたは複数の割り出し部材７３〜７５をベース１６、１８とともに使用しない。ベース１６、１８の幾つかの構成は、割り出し機能を提供する様々な形体を含むことができる。１つの実施例では、穴７２は異なるサイズのピン１１５には異なるサイズを有する。
【００２８】
蝶番部分７６は接続アーム１１０、それぞれ下部および上部歯科模型ベース１６、１８に関連するオスおよびメス蝶番コネクタ１１２、１１４、および止め部材１１６を含む。蝶番部分７６は、上部および下部ピンロケータ１２、１４の蝶番部分３６と実質的に同様に構成される。接続アーム１１０は、一方端がベース部材７０の後端８４に結合され、反対端がオスまたはメス蝶番コネクタ１１２、１１４に結合される。接続アームは、別個の脚部またはアームを含むことができる。接続アーム１１０は、図７に示すようにベース部材７０から角度ιで延在する。
【００２９】
止め部材１１６は、接続アームの脚部間に配置され、ピンロケータの止め部材、歯科模型ベース、または蝶番コネクタ１１２、１１４の蝶番接続を介して歯科模型ベース１６、１８が結合された対向ベースと係合するように構成される。止め部材１１６は、表面８０に対して全体的に直角の方向に延在する。他の実施形態では、止め部材１１６は、全体的に直角の方向以外の他の角度で延在することができる。さらに、止め部材１１６は、他の実施形態では異なる形状およびサイズを有し、本明細書で説明する類似した形状および方向の止め部材６６および１６６以外に、対向システム構成要素（例えばピンロケータ、対向ベース、または他の歯科模型ベース）の他の形体と接触することができる。接続アームは、ベース部材７０の背面から延在するが、他の実施形態では表面８０などの他の表面から延在することができる。
【００３０】
１対の止め棒１１８、１１９を、ベース部材７０の前後端８２、８４にある窪み９６、９８内でベース部材７０に結合することができる。棒は、底側８０の打ち抜き部９７を通って延在することができる（図１１および図１２参照）。止め部材１１６に加えて、またはその代わりに止め棒を使用して、対向ベース２０、２２、またはベース１６、１８が取り付けられたピンロケータのベース部材３０に対して、ベース部材７０の所定の相対位置を確保することができる。
【００３１】
Ｃ．対向ベース
対向ベース２０、２２が、図３、図４Ａおよび図４Ｂに関して図示されている。対向ベース２０、２２はそれぞれ、ベース部材１２０および蝶番部分１２６を含む。ベース部材１２０は、上側および底側１２８、１３０を含む。底側１３０は、対向歯科模型を支持する装着または係合表面（これも参照番号１３０で識別される）を画定する。ベース部材１２０は、前後端１３２、１３４、第一および第二側１３６、１３８、連続側壁１４０によって画定され窪んだ床１４２、および連続側壁１４０の内側の隣で窪んだ床１４２から延在する複数の係合ピン１５０を含む。窪んだ床１４２は、上側と底側１２８、１３０の間の任意の位置に配置することができる。窪んだ床１４２は、側１２８、１３０の間に画定された距離Ｈの約１／２に配置することが好ましい（図４Ａ参照）。窪んだ床１４２を側部１２８、１３０の間の位置に配置することにより、対向歯科模型の生成に必要な石の量を最小限にしながら、対向歯科模型を対向ベース内で保持するのに十分な深さを提供することができる。
【００３２】
係合ピン１５０は、他の実施形態では異なる構成および配置構成を有することができる。例えば、係合ピンは、連続側壁１４０の隣で床１４２の側縁に沿って配置するのではなく、窪んだ床１４２の全体に均一に分布させることができる。さらに、係合ピンは、図面に示した円形の断面の円筒形ペグ形状とは異なる形状を有することができる。
【００３３】
対向ベースは、対向する第一および第二端１３２、１３４に配置されたスペーサ棒接触部１４６、１４８も含むことができる。スペーサ棒接触部１４６、１４８は、歯科模型ベースが蝶番接続で対向ベースに結合されると、歯科模型ベース１６、１８に装着された止め棒１１８、１１９と係合するようなサイズおよび位置にされる（図１２参照）。
【００３４】
対向ベース１２０、１２２は、側部１３６、１３８に沿って歯科モールドの第一大臼歯Ｍ１の典型的な位置と位置合わせして配置された大臼歯マーカ１４４も含む。大臼歯マーカ１４４は、歯科モデリングアセンブリ１０を使用して歯科模型を作成するプロセス中に、対向ベースの長さに沿って軸方向に歯科モールドを位置合わせするために有用である。
【００３５】
止め部材１６６は、接続アーム１１０の脚部間に配置され、ピンロケータの止め部材、または蝶番コネクタ１６２、１６４の蝶番接続を介して対向ベース２２、２２が結合された歯科模型ベースと係合する。止め部材１６６は、表面１３０に対して全体的に直角の方向に延在する。他の実施形態では、止め部材１６６は、全体的に直角の方向以外の他の角度で延在することができる。さらに、止め部材１６６は、他の実施形態では異なる形状およびサイズを有し、本明細書で説明する類似した形状および方向の止め部材６６および１１６以外に、対向システム構成要素（例えばピンロケータまたは歯科模型ベース）の他の形体と接触することができる。接続アームは、ベース部材１２０の背面から延在するが、他の実施形態では表面１３０などの他の表面から延在することができる。
【００３６】
Ｄ．歯科モールド
図２および図４Ａから図４Ｂを参照すると、実施例の歯科モールド２４が図示されている。モールド２４は、人の口の左側にある人の対向する上歯および下歯の印象である上下側印象２６、２８を有する。モールド２４は、問題の損傷した歯の印象２９を含む。つまり、第二小臼歯（図１４および図１５に示すＢ２）の歯である。モールド２４は当技術分野で三重トレーモールドとして、特に四分の一三重トレーモールドとしてよく知られている。四分の一モールドは、四分の一が人の歯の全円弧の一部しか歯の印象を捕捉しないという点で、全円弧から識別される。全円弧モールドの歯科モデリングアセンブリを、図１６から図２１を参照しながら詳細に説明する。
【００３７】
Ｅ．歯科モデリング法
次に、図１から図１５を参照しながら、歯科モデリングアセンブリ１０を使用する歯科モデルの生成方法について説明する。最初に図２を参照すると、歯科モールド２４は、問題の歯２９を含むモールドの側が見え、歯の印象上でピンロケータを位置合わせするためにアクセス可能である状態で保持される。この場合、上側印象２６は問題の歯２９を含み、上部ピンロケータ１２は、モールドマーカ５４が第一大臼歯印象Ｍ１と位置合わせした状態で、モールド２４上に吊り下げて保持される。ピンロケータ１２、１４のロケータピン３２は、図１４および図１５の穴のレイアウトを参照しながら以下で説明するように、その間にわずかに異なる間隔を有することができるので、技術者は、選択されたピンロケータがモールドのサイズ、および問題の歯２９を有するモールドの側（上または下）にとって最も適正であるかを判断しなければならない。
【００３８】
歯科モデリングアセンブリ１０を、１つの口のサイズについて説明する。他の実施形態では、例えば小、中および大のサイズの口に対応する様々なサイズを有する追加の歯科モデリングアセンブリの構成要素を設けることができる。異なるサイズの口を考慮に入れる方法を、図１４および図１５を参照しながら以下で検討する。したがって、問題の歯２９が上歯印象の一部であるか下歯印象の一部であるかを判断するステップに加えて、異なるサイズの上部または下部ピンロケータを特定のモールド２４で使用する最も適切な数を判断するさらなるステップを含むことができる。
【００３９】
モールド２４を、上部か下部か、および適切なピンロケータのサイズについて試験したら、選択されたピンロケータ（この場合は上部ピンロケータ１２）を反対側の対向ベース（この実施例では下部対向ベース２２）に接続する。上部ピンロケータ１２は、図３に示すように、対向ベース２２のオス蝶番コネクタ１６２と係合するようなサイズであるメス蝶番コネクタ６４を含む。
【００４０】
図４Ａおよび図４Ｂを参照すると、次に、下側印象２８が対向ベース２２の底側１３０に面する状態で、モールド２４が配置され、ロケータピン３２がモールド２４の上側２６の歯印象に面する状態で、上部ピンロケータ１２が閉位置へと回転される。閉位置は、対向ベースの止め部材１６６と係合する止め部材６６によって画定される。この閉位置への回転が、何らかの方法で（例えばピン３２がモールド２４上の余分な材料と接触することにより）妨害された場合は、必要に応じてモールド２４の周縁をトリムすることができる。
【００４１】
技術者が、大臼歯Ｍ１を、対向ベースのピンロケータおよび１４４の大臼歯マーカ５４とさらに容易に位置合わせできるように、マークを、第一大臼歯Ｍ１と位置合わせしてモールド２４の側面に作成できると有利である。このようなマークは、技術者が例えば永久マーカを使用して作成することができる。
【００４２】
図５を参照すると、モールド２４の下側２８および対向ベースが第一成形用材料で充填される。窪んだ床１４２および係合ピン１５０の全部ではないまでも、大部分を第一成形用材料で覆うことが好ましい。対向ベースは、底側１３０から溢れないまでも、少なくとも底側１３０まで第一成形用材料で充填される。次に、下側印象２８の第一成形用材料が対向ベース２２の第一成形用材料と係合する状態で、モールド２４を配置する。次に、上側印象２６の歯印象を、ロケータピン３２と位置合わせする。モールド２４は、必要に応じて対向ベース２２に対して振動または攪拌し、上側印象２６とロケータピン３２の間に適切な間隔を提供することができる。モールド２４が割り出しピン３２に対して適切に位置合わせされた状態で、第一成形用材料が硬化し、第一または下部歯科模型６を形成することができる。
【００４３】
上部ピンロケータ１２を、図６に示すように上部歯科模型ベース１６で置換する。歯科模型ベース１６は、少なくとも１つのテーパ状ピン１１５を、モールド２４上に問題の歯２９に対応する穴７２に挿入することによって準備される。以上で検討したように、問題の歯２９は第二小臼歯である。多くの場合、問題の歯の対向する側の歯を着脱式に装着するように、歯科模型ベース１６を準備すると有利である。例えば、追加のテーパ状ピン１１５を、線形アレイの穴７３、およびモールド２４の犬歯および側歯印象を表す穴１０６の少なくとも１つなど、他の穴７２に挿入することができる。次に、ベース１６の止め部材１１６が図７に示すように対向ベース２２の止め部１６６と係合するまで、歯科模型ベース１６を閉位置へと回転する。技術者は、テーパ状ピン１１５など、モールド２４のいずれかの部分がベース１６の形体と係合する前に、止め部１１６、１６６が適切に係合することを保証するために、モールド２４とベース１６の間で、モールド２４のさらなるトリミングを必要とするような干渉がないかチェックする。
【００４４】
次に図８を参照し、歯科模型ベース１６を次に開位置へと回転し、モールド２４の上側印象２６を第二成形用材料で充填し、ベース１６の底側８０を、テーパ状ピン１１５の露出した端部および割り出し部材７３〜７５とともに、第二成形用材料で覆う。次に、止め部材１１６、１６６が係合するまで、ベース１６を閉位置に向かって回転する。止め部材１１６、１６６が係合している状態で、図８に示す完全に回転した位置に到達するために、モールド２４とベース１６の間から多少の第二成形用材料を横方向に圧迫することができる。止め部１１６、１６６の接触を維持するのに一定の圧力を加えることなく、止め部１１６、１６６が係合した状態でベース１６が閉位置を維持することを保証するために、ベース１６はモールド２４に対して攪拌または振動できる必要がある。次に、第二成形用材料が石化し、それによって第二または上部歯科模型８を生成することができる。
【００４５】
第二成形用材料が模型８として十分に硬化した後、図９に示すようにモールド２４を模型６，８から取り出す。止め部１１６、１６６が図１０に示すように係合した状態で、ベース１６を再び対向ベース２２に対して回転し、閉位置にすることができ、模型６、８は、軸方向および横方向の相対並進運動および相互に対するＸ、ＹおよびＺ軸を中心とする回転運動により、相互に対して関節で接続することができる。模型６、８は、ベース１６の蝶番部分７６およびベース２２の蝶番部分１２６の本質的に可撓性の構造により、関節で接続することができる。
【００４６】
技術者が、問題の歯の結果の模型９をベース１６から外したいと考えた場合、技術者は、歯模型９の対向する側でＺ軸方向に模型８を切り離すことができる。歯模型９の対向する側にある他の端も、関連するテーパ状ピン１１５を有する各歯の対向する側を切り離すことによって外すことができる。図１０は、第一および第二大臼歯、第一および第二小臼歯（歯模型９によって表される第二小臼歯）、および犬歯に関連するテーパ状ピン１１５を含む模型８を示す。以上で検討したように、テーパ状ピン１１５をベース１６の複数の穴７２に再度挿入することは、割り出し部材７３〜７５の配置構成およびサイズにより、さらに正確に保証することができる。
【００４７】
図９および図１０に示す完成した模型６、８は、咬合器の機能を有する歯科模型がある歯科模型ベースの一体システムを提供する。関節式接続に必要な模型６、８間の適切な相対的間隔および配置構成を提供するために、別個の独特な咬合器装置を必要としないことが好ましい。関節式接続という用語は、上部歯模型と下部歯模型との相対運動と定義され、横方向および前後の並進運動、さらに歯模型の蝶番接続における旋回など、様々な回転運動を含むことができる。したがって、幾つかのタイプの関節式接続を提供するために、模型６、８自体を生成するために使用される歯科モデリングアセンブリ１０に加えて、追加の咬合器構造は必要ではない。
【００４８】
模型６、８間の適正な相対間隔を保証するための１つの考察事項は、第一および第二成形用材料が硬化した場合に、模型ベース１６の底側８０と対向ベース２２の底側１３０とが相互に平行であることを保証することである。この平行関係をより正確に保証できる１つの方法は、対向ベース２２の接触部１４６、１４８と係合するように配置構成された止め部材１１８、１１９を追加することである。図１１、図１２Ａおよび図１２Ｂは、スペーサ棒の窪み９６、９８内に配置されて、底側８０の打ち出し部９７を通って突出するマーカ１１８、１１９を示す。別個の部片としてベース部材１６に追加した場合、棒１１８、１１９は（例えば接着剤を使用して）所定の位置に固定することができる。あるいは、棒１１８、１１９は、歯科模型ベース１６のベース７０の部分として一体成形することができる。止め部１１６、１６６の係合に加えて、またはその代わりに、棒１１８、１１９の一方または両方を使用することができる。棒１１８、１１９の長さは、予め設定した間隔を提供する特定の長さで予め切断することができる。例えば、棒１１８の１つの長さは、棒１１８の端部をベース１６の上面７８に面一で装着させ、棒１１８の反対端を対向ベース接触部１４６に係合させて、表面８８と表面１３０との平行な位置合わせを提供することができる。他の実施形態では、棒１１８の長さは、上側７８との同じ面一の装着を提供し、表面８０、１３０の平行ではない配置構成を提供することができる。
【００４９】
歯科モデリングアセンブリ１０の構成要素１２、１４、１６、１８、２０、２２は、一定の形状係数を維持する全幅を有する。例えば、図１２Ｂを参照すると、ベース１６の蝶番部分７６および対向ベース２２の蝶番部分１２６の最大幅Ｗ１は、それぞれベース１６、２２のベース部材７０、１２０の幅Ｗ２、Ｗ３以下である。このベース部材７０、１２０に対する蝶番部分７６、１２６の幅の関係は、幾つかの利点を提供することができる。１つの利点は、ベース１６の側部８６、８８に沿って、およびベース２２の側部１３６、１３８に沿って第一および第二模型６、８の余分な部分を研磨する場合に、蝶番部分７６、１２６が研磨ホイールを妨害しないことである。別の利点は、蝶番部分７６、１２６の比較的細長く狭い構造に関し、これは人の口および顎の解剖学的構造を表す現実的な関節式接続を提供することができる。幾つかの実施形態では、蝶番部分７６、１２６の接続アーム１１０、１６０の厚さの変更のみを使用して、様々な用途に合わせて関節式接続を微調整することができる。蝶番部分７６、１２６の構成で可能なさらなる利点は、オス部分とメス部分１１４、１６２のインタフェースが、多少傾斜した方向ではなく軸方向および横方向に集中することであり、これは関節式接続の精度を高めることができる。
【００５０】
次に図１３を参照すると、ピンロケータ１２、１４は、着脱式ピン６８および穴１０６、１０８を使用して、人の口の左側または右側に関連する犬歯および側歯のモデリングに使用するためにカスタム化することができる。通常、０〜２本のピン６８を、歯科モデリングアセンブリ１０を使用して、任意の所与のモデリング方法で使用することができる。この実施形態では、穴１０６、１０８がピンロケータ１２、１４とともに図示されているが、他の実施形態は、人の口の右側および左側の中歯に対応する穴のセットを追加して構成することができる。中歯に対応する穴を配置するための十分な余地を提供するために、ピンロケータ１２、１４の前端４２は追加の幅および長さを必要とする。
【００５１】
次に図１４および図１５を参照すると、図１４は、中サイズの上下歯列弓の歯を表す穴のレイアウトを示す。上歯に対応する円弧は、大きめの半径の円弧であり、下歯の円弧は、小さめの半径を有する。各円弧に沿う円はそれぞれ、大臼歯Ｍ１〜Ｍ３、小臼歯Ｂ１〜Ｂ２、犬歯ＣＳ、側歯Ｌ、および中歯Ｃの平均位置を表す。大きいサイズおよび小さいサイズの口に合わせた穴の配置の生成は、中心線ＣＬ（図１４参照）に対して線に沿って規定の距離だけ円を軸方向に移動するだけで実行することができる。
【００５２】
ベース１６、１８の穴７３の線形アレイは、穴Ｍ１〜Ｍ３およびＢ１〜Ｂ２を通る推定線Ｅに対して、図１４に示した上または下弓の鏡映を作ることによって生成される。点線で示した円は、鏡映弓Ｕ上の円間の平均位置である。側歯および犬歯の円は、ピンロケータ１２、１４および歯科模型ベース１６、１８上で線Ｅに対して同じ位置を維持し、線形に隔置された穴（例えば穴７３）は、図１５の点線の穴で表される。上述したように、中心穴Ｃも、図１５のレイアウトを使用してベース１６、１８のピンロケータ１２、１４に追加することができる。
【００５３】
以上の実施例は、模型６、８を生成するためにピンロケータを有する対向ベースおよび歯科模型ベースを使用して説明してきた。対向ベースの構造は、対向模型を支持するために非常に適しているが、対向ベースの代わりに、代替的に歯科模型ベース１６、１８の一方も使用することができる。さらに、モールド２４が、上側および下側２６、２８の両方で問題の歯を含む場合、模型にした問題の歯の着脱性を提供するために、歯科模型ベース１６、１８を使用することが望ましいことがある。
【００５４】
図１に関して述べたように、上部構成要素１２、１６、２０は全部、メス蝶番コネクタを含み、下部構成要素１４、１８、２２はオスコネクタを含む。オスコネクタとメスコネクタをそれぞれ上部構成要素と下部構成要素に分離することの１つの利点は、２つの上部構成要素または２つの下部構成要素の組合せを不注意で使用することがないことを保証することである。上部構成要素が任意の所与の時に下部構成要素に結合されることを保証することによって、技術者がモールド２４内に捕捉された人の実際の歯を表す結果の模型６、８を正確に形成することが、さらに保証される。上部構成要素と下部構成要素との不注意な組合せというこの問題の例外は、対向ベースであり、これは多くの場合、上部または下部構成要素として使用するために交換可能である。
【００５５】
図１から図１３の蝶番構成に加えて、多くの他の蝶番構成が可能である。例えば、アセンブリ１０の各構成要素は、オスコネクタとメスコネクタの両方を含むことができ、したがって各構成要素は可逆性であり、上部または下部構成要素として使用することができる。上部構成要素と下部構成要素とを不適切に組み合わせる可能性に関して、特定の欠点があるが、このような構成にすると、モデリングシステムの全体の構成要素が少なくなる。以下で詳細に述べる図２３から図４２は、四分の一歯科モデリングアセンブリの幾つかの代替蝶番実施形態を示す。
【００５６】
ＩＩ．図１６から図２１の咬合器システムの実施形態
次に図１６から図２１を参照すると、歯科モデリングアセンブリ２００が図示され、説明されている。歯科モデリングアセンブリ２００は、上下ピンロケータ２１２、２１４、上下歯科模型ベース２１６、２１８、および上下対向ベース２２０、２２２を含む。各構成要素２１２、２１４、２１６、２１８、２２０、２２２は、人の歯の円弧に対応する全円弧の構成を含む。上部構成要素２１２、２１６、２２０は人の上歯を表し、下部構成要素２１４、２１８、２２は、人の口の下歯を表す。以下でさらに詳細に述べるように、上部構成要素はそれぞれ、メス蝶番コネクタを含み、下部構成要素はそれぞれ、オス蝶番コネクタを含む。
【００５７】
上下ピンロケータ２１２、２１４は、ＤＥＮＴＡＬ  ＭＯＤＥＬＩＮＧ  ＡＰＰＡＲＡＴＵＳ  ＡＮＤ  ＭＥＴＨＯＤと題した共願中の米国公開特許出願第２００４／００２９０７１号に記載されたピンロケータ形体に類似した形体を含む。歯科ベース２１６、２１８の幾つかの形体は、ＤＥＮＴＡＬ  ＭＯＤＥＬ  ＢＡＳＥ  ＷＩＴＨ  Ａ  ＰＬＵＲＡＬＩＴＹ  ＯＦ  ＩＮＤＥＸＩＮＧ  ＰＩＮＳと題した共願中の米国特許出願第２９／２１６，６９７の形体に類似している。対向ベース２２０、２２２の幾つかの形体は、ＤＥＮＴＡＬ  ＭＯＤＥＬＩＮＧ  ＡＳＳＥＭＢＬＹ  ＡＮＤ  ＭＥＴＨＯＤＳと題した共願中の米国公開出願第１１／１５０，８４９号、およびＯＰＰＯＳＩＮＧ  ＤＥＮＴＡＬ  ＭＯＤＥＬ  ＢＡＳＥと題した米国出願第２９／２３１，９５０号で開示された対向ベースに類似している。本パラグラフで言及した特許関連の文書は、参照により全体が本明細書に組み込まれる。
【００５８】
Ａ．ピンロケータ
最初に図１７および図１８を参照すると、ピンロケータ２１２、２１４は、ベース部材２３０、複数のロケータピン２３２、および蝶番部分２３６を含む。ベース部材２３０は、上側および底側２３８、２４０を含み、底側２４０は装着表面を画定し、さらに前後端２４２、２４４、および第一および第二側２４６、２４８を含む。ベース部材２３０は、各側部２４６、２４８に沿って、それぞれ人の歯列円弧の第一大臼歯Ｍ１および犬歯ＣＳを表すロケータピン２３２と位置合わせされた犬歯マーカ２５２および大臼歯マーカ２５４を含む。
【００５９】
ロケータピン２３２は、底側２４０に形成された穴内に保持される着脱式ピンとして構成することができる。図示の実施形態では、ロケータピン２３２は、単一部片としてピンロケータ２１２、２１４の底側２４０と一体形成される。
【００６０】
蝶番部分２３６は、接続アーム２６０、オスまたはメス蝶番コネクタ２６２、２６４、および止め部材２６６を含む。接続アーム２６０は、ベース部材２３０の後端２４４から延在する。接続アーム２６０は、別個のアームまたは脚部に分割することができる。接続アーム２６０の一方端はベース部材３０と係合し、接続アーム２６０の反対端は、自身に装着された止め部材２６６、および自身から延在するオスまたはメス蝶番コネクタを含む。幾つかの実施形態では、接続アーム２６０は、別個の脚部またはアーム部材がない中実の単一部片でよい。さらに、止め部材２６６は、図面に示すように横部材にではなく、接続アーム２６６の対向アームまたは脚部材の一方に装着することができる。
【００６１】
Ｂ．歯科模型ベース
歯科模型ベース２１６、２１８を、図１９から図２１に関して説明する。ベース２１６、２１８は、ベース部材２７０、複数の穴２７２、複数の割り出し部材２７４、２７５、および蝶番部分２７６を含む。
【００６２】
ベース部材２７０は上側および底側２７８、２８０を含み、底側２８０は、主要装着表面を画定し、さらに前後端２８２、２８４、および第一および第二側２８６、２８８を含む。ベース部材２７０は、ベース部材７０の外周に延在する連続側壁２９０、さらにキャビティ２９２を画定するその内側も含む。複数の突起３００が、底側２８０から開始してキャビティ２９２内へと突出する。各突起３００は、自身を通って延在し、複数の穴２７２のうち１つと位置合わせされたテーパ状キャビティを含む。テーパ状キャビティは、以上の図１から図１３に関して示したテーパ状ピン１１５などのテーパ状ピンを受けるようなサイズであり、テーパ状ピンは、干渉嵌めでテーパ状キャビティ内に保持され、着脱可能である。テーパ状キャビティ３００および関連する穴２７２のうち少なくとも幾つかは、永久的に装着されるピンと交換することができる。永久的に装着されるピンは、歯科模型の部分をベース２１６、２１８に固定するのに特に有用なことがある。
【００６３】
穴２７２は、主要装着表面２８０に沿って、人の口内にある実際の歯の平均的位置と一致する間隔で配置される。実施例の穴の間隔を、図１４および図１５に関して説明する。代替配置構成では、穴２７２は、参照により本明細書に組み込まれる米国特許第６，４７１，５１３号および第Ｄ４５２，５６６号に記載された穴のように、様々な間隔および複数列の穴を有することができる。あるいは、穴２７２は、参照により本明細書に組み込まれる米国特許第６，８８４，０６８号に記載されたように、歯科モールド内の問題の歯に対して穴の正確な位置を割り出した後に、表面２８０に穿孔することができる。
【００６４】
ベース部材７０はさらに、対向する前後端２８２、２８４のスペーサ棒窪み２９６、２９８、および対向する側部２８６、２８８の大臼歯マーカ２９４および犬歯マーカ２９５を含む。スペーサ棒窪み２９６、２９８は、図２０および図２１に示すように、スペーサ棒３１８、３１９を受けるようなサイズである。マーカ２９４、２９５は、人の歯の第一大臼歯および犬歯部材に対応する穴７０と位置合わせされる。
【００６５】
Ｃ．対向ベース
次に図１７から図２１を参照すると、対向ベース２２０、２２２はそれぞれ、ベース部材３２０および蝶番部分３２６を含む。ベース部材３２０は上側および底側３２８、３３０を含み、底側３３０は装着または係合表面を画定し、さらに前後表面３３２、３３４、および第一および第二側３３６、３３８を含む。ベース部材３２０は、連続側壁３４０によって画定された窪んだ床３４２も含む。複数の係合ピン３５０が、窪んだ床３４２から連続側壁３４０に隣接する列の状態で延在する。ベース部材３２０は、図２１に示すようにスペーサ棒３１８、３１９の端部と係合するようなサイズであるスペーサ棒接触部３４８を含む。図１８に示すモールド２２４などの歯科モールドの第一大臼歯および犬歯印象との位置合わせに役立つために、大臼歯マーカ３４４および犬歯マーカ３４６が、第一および第二側３３６、３３８に沿って含まれる。
【００６６】
蝶番部分３２６は、接続アーム３６０、オスまたはメス蝶番コネクタ３６２、３６４、および止め部材３６６を含む。蝶番部分３２６の形体は、上述したピンロケータの蝶番部分２３６および歯科模型ベース２１６、２１８の蝶番部分２７６の形体と同じであるか、類似していてよい。止め部材３６６は、どちらの構成要素が任意の所与の時に対向ベースと結合するかに応じて、ピンロケータ２１２、２１４の止め部材２６６、または歯科模型ベース２１６、２１８の止め部材３１６と係合するように構成される。
【００６７】
Ｄ．歯科モールド
全円弧の歯科モールド２２４から上下の歯の模型を生成するために歯科モデリングアセンブリ２００を使用することは、歯科モデリングアセンブリ１０に関して上述した方法と多くの類似点を有する。歯科モデリングアセンブリ２００は、前歯（つまり中歯、側歯および犬歯）のモデリングに特に適しているが、それでも奥歯（つまり小臼歯および大臼歯）のモデリングも可能である。
【００６８】
Ｅ．歯科モデリング方法
歯科モデリングアセンブリ２００を使用するモデリングのプロセスにおける最初のステップは、適切なピンロケータ２１２、２１４を選択することである。ピンロケータ２１２、２１４は、この決定のためにモールド２２４の歯印象と位置合わせした状態で保持される。様々な上下ピンロケータ２１２、２１４に加えて、他の考慮事項には、ピンロケータ２１２、２１４のサイズが含まれる。図１４および図１５に関して上述したように、例えば小、中および大サイズの口に対応する様々なサイズの上下ピンロケータ、歯科模型ベース、および対向ベースを作成することが可能である。したがって、歯科モデリング方法を最適化する１つの方法は、上下ピンロケータの間で選択するばかりでなく、使用可能な様々なサイズのピンロケータからも選択することである。
【００６９】
適切なピンロケータ２１２、２１４を選択した後（図１７および図１８に関しては、上部ピンロケータ２１４が使用されている）、ピンロケータは、ピンロケータのメス蝶番コネクタ２６４が対向ベース２２２のオス蝶番コネクタ３６２と蝶番または旋回接続した状態で、対向ベース２２０、２２２に結合される（図１７から図２１には下部対向ベース２２２が図示されている）。歯科モールド２２４は、モールド２２４の歯印象と位置合わせされたロケータピン２３２で、ピンロケータのロケータピン２３２と対向ベース２２２の間の所定の位置に保持される。モールドとピンロケータと対向ベースの間の干渉を解消するために、モールド２２４のトリミングが必要な場合、これらの変更は、下側印象２２８と対向ベース２２２を第一成形用材料で充填する前に実行される。次に、充填した下側２２８を充填した対向ベース２２２と係合させる。モールド２２４は、モールドの歯印象と適切に位置合わせするために、ロケータピン２３２に対して調節され、第一成形用材料が硬化して、下部歯科模型（図示せず）を形成することができる。
【００７０】
次に、上部歯科模型ベース２１６と下部対向ベース２２２の間に蝶番または旋回接続が存在するように、ピンロケータ２１２を上部歯科模型ベース２１６と置換する。モールドの上側印象２２６内にある少なくとも損傷した問題の歯の印象に対応し、歯科模型ベースの複数の穴２７２に、着脱式ピンを加える。着脱式ピンを複数の穴２７２のうち任意の１つの穴に加えて、モールド２２４の上側印象２２６から形成された結果の歯模型に着脱性を提供することができる。次に、主要表面２８０が対向ベースの底面３３０に対して平行な配置構成にある状態で、歯科模型ベース２１６を閉位置へと回転する。目視チェックを実行して、モールド２２４と歯科模型ベース２１６または歯科模型ベースの穴２７２に固定された着脱式ピンとの間に障害物がないことを保証する。通常、歯科模型ベース２１６および対向ベース２２２それぞれの止め部３１６および３６６が、ベース２１６、２２２間に十分な平行の位置合わせを提供する。しかし、平行な方向をさらに正確に画定するために、止め棒３１８、３１９（図２０および図２１参照）などの追加の止め部材を使用することが必要なことがある。
【００７１】
次に、モールド２２４の上側印象２２６を第二成形用材料（図示せず）で充填し、複数の穴７２に挿入されたテーパ状ピンの露出した端部に沿った歯科模型ベースの主要表面２８０、および露出したこれらのテーパ状ピンに隣接した対応する割り出し部材２７４、２７５は、第二成形用材料でコーティングされる。成形用歯科模型ベース２１６を再び閉位置へと回転して、ベース２１６上の第二成形用材料をモールド２２４の上側印象２２６の成形用材料と係合させる。これらの成形ステップを実行する技術者は、止め部材３１６、３６６の係合、および止め棒３１８、３１９の端部と対向ベース２２２の接触表面３４８との係合によって、ベース２１６、２２２それぞれの表面２８０と３３０との平行な配置構成をチェックすることができる。
【００７２】
第二成形用材料を硬化して、上部歯科模型を生成し、モールド２２４を上下模型から外す。これで、ベース２１６、２２２を蝶番接続で相互に結合しながら、上下模型（図示せず）を相互に対して関節式に接続することができる。
【００７３】
上述した歯科モデリングアセンブリ１０と同様に、アセンブリ２００は、対向ベース２２０、２２２が歯科模型ベース２１６、２１８の一方によって置換された場合に、十分に機能することができる。例えば、図１８から図２１に示す実施例では、下部対向ベース２２２を下部歯科模型ベース２１８で置換することができる。このような置換は、上側印象２２６ばかりでなく下側印象２２８からも損傷した問題の歯を準備する場合に望ましいことがある。
【００７４】
蝶番部分２３６、２７６および１２６の蝶番形体は、他の実施形態では変更することができる。例えば、アセンブリ２００の上下構成要素はそれぞれ、対向ベースなどの幾つかの構成要素の互換性を改良するために、１つのメス蝶番コネクタおよび１つのオス蝶番コネクタを含むことができ、したがって図１６に示す実施例のシステム２００で必要とされるような２つの別個の構成要素ではなく、１つの対向ベースしか必要としない。
【００７５】
蝶番部分２３６、２７６、３２６は、各ベース部材２３０、２７０、３２０の最大幅以下の最大幅を有する。その結果、蝶番部分は、完成した上下歯科模型から第一または第二成形用材料の余分な部分を研磨する場合に、研磨ホイールの妨害を最小限に抑える。
【００７６】
歯科モデリングアセンブリ１０、２００に使用されるオスおよびメス蝶番コネクタは、スナップ嵌め接続を提供する。オス蝶番コネクタとメス蝶番コネクタとのインタフェースは、比較的密な公差を有し、その結果、上下構成要素の相互に対する横方向の動きが無視でき、微細になる。
【００７７】
モデリングアセンブリ１０、２００の構成要素は、例えばナイロン、ポリカーボネートプラスチック、または他の注型可能な、または射出成形可能な材料など、ポリマベース材料を備えることができる。ピンロケータは、高い強度および剛性、および透明性という特性を提供する材料で作成することが好ましい。
【００７８】
ピンロケータ、歯科模型ベースおよび対向ベースの形体は、一体部片として形成される。したがって、例えばベース部材３０にピンロケータ１２、１４の蝶番部分３６を固定するなど、各構成要素の形体を相互に接続する必要がない。というのは、これらの形体が１つの部片として一体形成されているからである。アセンブリ１０、２００に必要な結合またはその他の接続は、上下構成要素間のオス蝶番コネクタとメス蝶番コネクタの蝶番接続のみである。この一体部片の構造が好ましいが、代替実施形態では、各構成要素の様々な形体を別個の部片として作成し、次に構成要素製造プロセスのその後のステップで、これらの部片を一緒に固定することが可能である。例えば、例えば接着剤またはスナップ嵌め接続を使用して、ピンロケータ１２、１４の蝶番部分３６の接続アーム６０をベース部材３０の後端４４に固定することができ、したがって２つの別個の部片が相互に結合されて、ピンロケータ１２、１４の１つを形成する。この方法で別個の部片の構成要素を生成することにより、同じベースおよびピン部分を使用して、様々なタイプのモデリング方法またはシステムに様々なタイプの蝶番部分の設計を提供することが可能である。例えば、１つの蝶番部分の設計は、三重トレーモールドを扱う場合、人の歯の上側または下側の一方のみの印象でモールドを扱う場合の比較的小さい角度ιに対して、比較的大きいコネクタアーム角度ι（図４Ａ参照）を有することができる。
【００７９】
ＩＩＩ．蝶番の代替実施形態
図２２から図４２は、以上で開示した歯科モデリングシステムで使用する幾つかの代替蝶番設計を示す。図２２から図４２の特定の構成は、全円弧スタイルの構成要素に対して四分の一に合わせて特にサイズが決定され、これらの蝶番設計は、図１６から図２１に関して説明した構成要素２１２、２１４、２１６、２１８、２２０、２２２などの全円弧構成要素で使用するように変更することができる。
【００８０】
図２２から図４２に示す実施形態はそれぞれ、概ね第一および第二接続アーム４０２、４０４、第一および第二オス蝶番部材４１０、４１２、第一および第二メス蝶番部材４１４、４１６、および第一および第二止め部材４１８、４２０を含む蝶番アセンブリ４００である。接続アーム４０２、４０４はそれぞれ、ベース取り付け部分４０６および蝶番取り付け部分４０８を含む。幾つかの実施形態は、第一および第二止め表面４２２、４２４および横方向安定化部材４２６、４２８を含むことができる。
【００８１】
Ａ．図２２から図２４の実施形態
最初に図２２から図２４を参照すると、蝶番アセンブリ４００は、ベース取り付け部分４０６に対して全体的に直角の方向に延在する蝶番取り付け部分４０８を含む。蝶番取り付け部分４０８の端部は、止め部材４１８、４２０を画定する。蝶番部材４１０、４１２、４１４、４１６は、蝶番取り付け部分４００８に対してある角度で延在し、これは代替的に、蝶番取り付け部分４０８に対して非平行方向に延在すると言うことができる。
【００８２】
第一接続アーム４０２は両方のメス蝶番部材４１４、４１６を含み、第二接続アーム４０４は両方のオス蝶番部材４１０、４１２を含む。図２２から図２４の蝶番アセンブリ４００の構成は、上述したアセンブリ１０の蝶番形体に類似している。横方向安定化部材４２６は、オス蝶番部材４１０、４１２の部分を画定する。安定化部材４２６は、メス蝶番部材４１４、４１６の横方向の運動を制御するのに役立つ。メス蝶番部材４１４、４１６は、オス蝶番部材４１０、４１２にスナップ嵌めされるように構成される。
【００８３】
蝶番取り付け部分４０８はそれぞれ、自身内に形成され、脚部４０７、４０９を画定するスロットを含む。脚部４０７、４０９は、Ｘ方向に、（図２２から図２４の閉じた方向を見た場合）Ｙ方向の厚さ寸法より大きい幅寸法を有する。その結果、図２２から図２４の蝶番アセンブリ４００は、Ｘ方向よりＹ方向に大きい可撓性を提供することができる。このような固有の可撓性は、図２２から図２４の蝶番アセンブリ４００が接続された歯科モデリングアセンブリの構成要素（例えばピンロケータまたは歯科模型ベース）に特定の利点または欠点を与えることがある。幾つかのこのような利点または欠点は、歯科モデリングアセンブリの構成要素に装着される模型を関節式に接続する能力を含む。
【００８４】
Ｂ．図２５から図２７の実施形態
次に図２５から図２７を参照し、別の蝶番アセンブリの実施形態４００を図示し、説明する。図２５から図２７のアセンブリ４００は、別個のアーム４０７、４０９に分割される蝶番取り付け部分４０８を含む。アーム４０７、４０９はそれぞれＸ方向に、Ｙ方向の厚さ寸法より小さい幅寸法を有する。この構造は、Ｙ方向に対してＸ方向の可撓性を向上させることができる。
【００８５】
別個の止め部材４１８、４２０が、アーム４０７、４０９の間に配置される。止め部材は、接続アーム４０２、４０４が図２２から図２４に示す閉位置にある場合、Ｚ方向に実質的に平行な方向に延在する。
【００８６】
アーム４０７、４０９は、Ｚ軸に対してある角度の方向に、およびＹ方向に延在する。角度がある蝶番取り付け部分４０８は、例えば上述したモデリングアセンブリ１０、２００の１つを使用して歯科モデリングプロセス中に使用され、形成される歯科モールドおよび結果の歯科模型を妨害する可能性を低下させることができる。
【００８７】
蝶番取り付け部分４０８のアーム４０７、４０９はそれぞれ、その端部に別個のオスおよびメス蝶番部材を有する。第一および第二接続アーム４０２、４０４は、相互の鏡像であり、互換可能である。
【００８８】
メス蝶番部材４１４、４１６は、オス蝶番部材にスナップ嵌めされ、そこから外されるように構成される。
【００８９】
Ｃ．図２８から図３０の実施形態
次に図２８から図３０を参照し、蝶番アセンブリ４００の別の実施例を図示し、説明する。蝶番取り付け部分４０８のアーム４０９はそれぞれ、止め部材４１８、４２０の１つを含み、アーム４０７は止め表面を含む。止め部材４１８、４２０と止め表面４２２、４２４とのＹ方向における係合は、接続アーム４０２、４０４の相対回転を制限する。Ｙ方向における係合は、図２２から図２７の実施形態に示したようなＺ方向における止め部材４１８、４２０の係合とは異なる。図２８から図３０の止め部材４１８、２０を、別個の止め部材または止め形体と組み合わせて使用し、Ｚ方向の係合を提供することができる。
【００９０】
接続蝶番取り付け部分４０８はそれぞれ、ベース取り付け部分４０６に対して直角ではない方向に延在する長さの部分、およびその長さに沿ってベース取り付け部４０６に対して直角の方向に延在する別個の部分を含む。直角に延在する部分は、オスおよびメス蝶番部材４１０、４１２、４１４、４１６を装着する。オスおよびメス蝶番部材は、相互に対してスナップ嵌め接続するように構成される。
【００９１】
Ｄ．図３１から図３３の実施形態
次に図３１から図３３を参照し、蝶番アセンブリ４００の別の実施例を図示し、説明する。図３１から図３３の蝶番アセンブリ４００は、別個のアーム４０７、４０９に分割される蝶番取り付け部分４０８を含む。アーム４０７、４０９はそれぞれ、その長さに沿ってベース取り付け部分４０６に対して直角ではない第一方向に延在する第一部分、およびその長さに沿って取り付け部分４０６に対して直角ではない異なる方向に延在する第二部分を含む。１つの実施例では、アーム４０７、４０９の長さに沿った第一部分は約９５から１１０°の角度で延在し、第二部分は約１２５から１４５°の角度で延在する。メス蝶番部材４１４、４１６は両方とも、第一コネクタアーム４０２上に含まれ、オス蝶番部材４１０、４１２は両方とも、第二接続アーム４０４上に含まれる。止め部材４１８、４２０は、蝶番アセンブリ４００が図３１から図３３に示す囲まれた方向にある場合に、Ｚ軸に延在するようにベース取り付け部分４０６に対して概ね直角の方向で配置構成される。
【００９２】
Ｅ．図３４から図３６の実施形態
次に図３４から図３６を参照する。さらなる蝶番アセンブリの実施形態４００を図示し、説明する。第一および第二接続アーム４０２、４０４は、細長い棒として構成されたベース取り付け部分４０６、および自身内に一体化された蝶番部材４１０、４１２、４１４、４１６を有する蝶番取り付け部分４０８を含む。接続アーム４０２、４０４はそれぞれ、オス蝶番部材およびメス蝶番部材を含む。
【００９３】
図３４から図３６の蝶番アセンブリ４００は、接続アーム４０２、４０４の相対的な回転運動を制限する止め部材を示していないが、他の実施形態では、このような止め部材を含むことができる。例えば、蝶番アセンブリ４００が図３４から図３６に示す方向にある場合、止め部材は各ベース取り付け部分４０６からＺ方向に延在することができる。止め部材は相互に係合して、相対回転を阻止する。
【００９４】
Ｆ．図３７から図３９の実施形態
次に図３７から図３９を参照して、さらなる蝶番アセンブリの実施形態４００を図示し、説明する。図３７から図３９の蝶番アセンブリ４００は、別個のアーム４０７、４０９に分割される蝶番取り付け部分４０８を含む。アーム４０７、４０９は、Ｙ方向に、Ｘ方向の幅寸法より大きい厚さ寸法を有する。さらに、アーム４０７、４０９は、オスおよびメス蝶番部材の一方を含む。アーム４０７、４０９は、止め部材４１８、４２０で相互に結合される。止め部材は、蝶番アセンブリ４００が図３７から図３９に示す方向にある場合、Ｚ方向に延在する。止め部材４１８、４２０は、接続アーム４０２、４０４のそれぞれのベース取り付け部分４０６に平行な方向を提供する少なくとも１つの方向で、第一および第二接続アーム４０２、４０４の相対回転を制限する。
【００９５】
蝶番取り付け部分４０８は、ベース取り付け部分４０６に対して直角方向とは異なる角度で延在する。
【００９６】
アーム４０７、４０９は、対向する接続アーム４０２、４０４のアーム４０７、４０９に対して偏った面に配置構成される。同様に、止め部材４１８、４２０は、相互に対してＸ方向に偏る。
【００９７】
Ｇ．図４０から図４２の実施形態
次に図４０から図４２を参照して、さらなる蝶番アセンブリの実施形態４００を図示し、説明する。図４０から図４２のアセンブリ４００は、別個のアームに分割されない一体部片である蝶番取り付け部分４０８を含む。蝶番取り付け部分４０８は、ベース取り付け部分４０６に対して直角ではない角度で延在する。接続アーム４０２、４０４のそれぞれの止め部材４１８、４２０は、対向する接続アームの蝶番取り付け部分４０８と係合する。
【００９８】
第一および第二接続アーム４０２、４０４はそれぞれ、横方向安定化部材４２６、４２８によって分離されたオス蝶番部材とメス蝶番部材の両方を含む。
【００９９】
ＩＶ．要約
本開示の１つの態様は、対向ベース、ピンロケータ、および歯科模型ベースを含む歯科モデリングシステムに関する。対向ベースは、人の歯のモールドから形成された対向歯科模型を装着するように構成された係合表面、および自身の一方端に蝶番部材を含む接続アームを含む。ピンロケータは、ピンロケータのベースから延在し、対向歯科模型を対向ベース部材に装着した場合に、モールド内の歯印象と位置合わせされるように配置構成された複数の細長いピンを含む。ピンロケータは、ピンロケータのベースから延在し、対向ベース部材の蝶番部材に取り付けられて、その間に旋回接続を提供するように構成された蝶番部材を一方端に含む接続アームも含む。歯科模型ベースは、複数の穴を有する主要表面を含み、主要表面は、対向歯科模型が対向ベースに装着された後に、モールドから形成された歯科模型を装着するように構成される。歯科模型ベースはさらに、対向ベースの蝶番部材をピンロケータ蝶番部材の所定の位置に取り付けて、歯科模型ベースと対向ベースの間に旋回接続を提供するように構成された蝶番部材を一方端に含む接続アームを含む。歯科模型ベースの複数の穴は、第一および第二セットの穴を含むことができ、第一セットの穴は、歯科模型ベースの長さに沿って線形に位置合わせされ、第二セットの穴は、第一セットの穴と非平行で位置合わせされる。
【０１００】
本開示の別の態様は、歯科モデリングシステムを使用して人の歯のモールドから歯科模型を形成する方法に関する。歯科モデリングシステムは、第一ベース部材、第二ベース部材、およびピンロケータを含む。第二ベース部材は、その支持表面から延在する少なくとも１つの着脱式ピンを含み、第一および第二ベース部材およびピンロケータはそれぞれ蝶番部材を含む。方法は、ピンロケータの蝶番部分と第一ベース部材を相互に結合して、第一旋回接続を形成することと、モールドの第一側を第一成形用材料で充填することと、成形用材料が第一ベース部材の支持表面と係合し、ピンロケータのピンがモールドの第二側の歯印象と位置合わせされた状態で、モールドを配置構成することと、第一成形用材料を硬化することとを含む。方法はさらに、第一ベース部材とピンロケータの蝶番部材を分離することと、第二旋回接続を形成するために、第一ベース部材と第二ベース部材の蝶番部材を結合することと、モールドの第二側を第二成形用材料で充填することと、第二成形用材料を第二ベース部材の支持表面と係合することと、第二成形用材料を硬化することと、モールドを硬化した第一および第二成形用材料から外すこととを含む。
【０１０１】
本発明の別の態様は、第一および第二ベース部材を含む歯科咬合器に関する。第一ベース部材は、装着表面、装着表面から延在する少なくとも１つの保持構造、およびその一方端に蝶番部材を含む接続アームを含む。第二ベース部材は、着脱式ピンを受けるように構成された複数の穴を有する装着表面を含み、第一ベース部材の複数の穴は、第一ベース部材の長さに沿って線形に位置合わせされ、不規則な間隔で隔置された第一セットの穴を含む。第二ベース部材は、装着表面から離れる方向で延在する複数の穴のそれぞれに関連する割り出し部材、および第一ベース部材の蝶番部材に取り付けられて、旋回接続を提供するように構成された蝶番部材を一方端に有する接続アームも含む。第二ベース部材はさらに、線形に位置合わせされた第一セットの穴と非平行の配置構成で配置構成された第二セットの穴を含むことができる。
【０１０２】
本開示の別の態様は、歯科モデリングシステムとともに使用するピンロケータに関し、歯科モデリングシステムは少なくとも１つの模型ベースを含む。ピンロケータは、装着表面を画定する本体部材、装着表面から本体部材の長さに沿って隔置され、全体的に線形の配置構成で延在する複数の固定ロケータピン、および装着表面に形成され、着脱式ロケータピンを受けるように形成された少なくとも１つの穴を含む。ピンロケータは、蝶番接続で歯科模型ベースに取り付けられるように構成され、ロケータピンは、歯科模型を歯科模型ベースに着脱式に装着する場合に、歯科モールドの歯印象と位置合わせされるように構成される。
【０１０３】
本開示のさらなる態様は、第一および第二ベース部材および蝶番構造を含む歯科咬合器に関する。第一ベース部材は装着表面を含み、装着表面の上面図から見た場合に、全体的に長方形の輪郭を画定する。第二ベース部材は、自身内に形成され、着脱式ピンを受けるようなサイズである複数の穴を有する主要表面を含む。第一ベース部材は、主要表面の上面図から見た場合に、全体的に長方形の輪郭も画定する。蝶番構造は、第一および第二ベース部材を蝶番関係で相互に結合する。蝶番構造は、第一ベース部材から延在する第一接続アーム、第二ベース部材から延在する第二接続アーム、および第一および第二ベース部材の相対回転を少なくとも１つの回転方向で停止するように構成された止め部材を含む。接続アームは、第一および第二ベース部材の縦軸に実質的に平行な方向に延在する。接続アームは、第一および第二ベース部材と一体形成することができる。
【０１０４】
本開示の別の態様は、歯科模型を形成する方法に関する。方法は、ピンロケータのロケータピンを歯科モールドの歯印象と位置合わせした状態で配置することと、歯印象を硬化性材料で充填することとを含む。方法はさらに、成形用材料と係合している歯科模型ベースのピンを係合することと、歯科模型ベースのピンを、ロケータピンの間隔と実質的に等しく隔置することと、歯科模型を形成するために硬化性材料を硬化することとを含む。
【０１０５】
Ｖ．結論
以上の明細書、実施例およびデータは、開示された実施例の組成の製造および使用について徹底的に説明している。本開示の多くの実施形態は、本発明の精神および範囲から逸脱することなく作成することができるので、本発明は請求の範囲に帰される。
【図面の簡単な説明】
【０１０６】
【図１】上下ピンロケータ、歯科模型ベース、および対向ベースの四分の一バージョンを備える例示的歯科咬合器の斜視図である。
【図２】歯科モールドの歯印象と位置合わせした図１に示す上部ピンロケータの斜視図である。
【図３】蝶番接続で対向下部ベースと結合した図２の上部ピンロケータを示す斜視図である。
【図４Ａ】対向下部ベースと図３に示す上部ピンロケータとの間に配向された図２の歯科モールドを示す側面図である。
【図４Ｂ】対向下部ベースと図３に示す上部ピンロケータとの間に配向された図２の歯科モールドを示す斜視図である。
【図５】歯科モールドの一方側が対向下部ベースに硬化性材料で固定され、上部ピンロケータのピンが歯科モールドの反対側の歯印象と位置合わせされた状態で、図４の配置構成を示す斜視図である。
【図６】図５の歯科モールドおよび対向下部ベース、および蝶番接続で対向下部ベースに結合された上部歯科模型ベースを示す斜視図である。
【図７】上部歯科模型ベースの着脱式ピンが歯科モールドの歯印象と位置合わせされた状態の図６の配置構成の側面図である。
【図８】上部歯科模型ベースおよび対向下部ベースに硬化性材料で固定された歯科モールドを示す斜視図である。
【図９】対向する上下歯科模型ベースのそれぞれに結合された上下歯科模型と、外した歯科モールドを示す斜視図である。
【図１０】着脱式ピンと上部歯科模型の歯との位置合わせを示すために着脱式ピンを破線で示した図９に示す歯科模型の側面図である。
【図１１】対向下部ベースと上部歯科模型ベースの蝶番接続、および歯科模型ベースの前後端で結合された止め棒を示す斜視図である。
【図１２Ａ】止め棒を回転して対向下部ベースと係合した状態の、図１１に示すベースの斜視図である。
【図１２Ｂ】図１２Ａに示すベースの背面図である。
【図１３】完全な円弧の歯科模型ベースのピンレイアウトに対する図１に示す歯科模型ベースのピンレイアウトを示す図である。
【図１４】上下の円弧の歯の位置のピン穴レイアウトを示す図である。
【図１５】穴の線形アレイを確立するために鏡映を作った図１４に示す上部円弧の上穴レイアウトを示す図である。
【図１６】ピンロケータ、歯科模型ベース、および上下歯科模型の対向ベースの全円弧のバージョンを備える別の例の歯科咬合器システムの斜視図である。
【図１７】対向下部ベースに蝶番接続で結合した図１６の上部ピンロケータを示す斜視図である。
【図１８】対向下部ベースと上部ピンロケータの間に配向された歯科モールドを示す斜視図である。
【図１９】対向下部ベースに蝶番接続で結合された図１６の上部歯科模型ベースを示す斜視図である。
【図２０】複数の止め棒が歯科模型ベースに装着された状態の図１９の歯科模型ベースおよび対向ベースを示す図である。
【図２１】止め棒の端部が対向ベースと係合する状態で閉じた位置にある図２０の歯科模型ベースおよび対向ベースを示す図である。
【図２２】本明細書で開示する本発明の原理による別の例の蝶番アセンブリの実施形態を示す図である。
【図２３】本明細書で開示する本発明の原理による別の例の蝶番アセンブリの実施形態を示す図である。
【図２４】本明細書で開示する本発明の原理による別の例の蝶番アセンブリの実施形態を示す図である。
【図２５】本明細書で開示する本発明の原理による別の例の蝶番アセンブリの実施形態を示す図である。
【図２６】本明細書で開示する本発明の原理による別の例の蝶番アセンブリの実施形態を示す図である。
【図２７】本明細書で開示する本発明の原理による別の例の蝶番アセンブリの実施形態を示す図である。
【図２８】本明細書で開示する本発明の原理によるさらなる蝶番アセンブリ実施形態を示す図である。
【図２９】本明細書で開示する本発明の原理によるさらなる蝶番アセンブリ実施形態を示す図である。
【図３０】本明細書で開示する本発明の原理によるさらなる蝶番アセンブリ実施形態を示す図である。
【図３１】本明細書で開示する本発明の原理による別の例の蝶番アセンブリの実施形態を示す図である。
【図３２】本明細書で開示する本発明の原理による別の例の蝶番アセンブリの実施形態を示す図である。
【図３３】本明細書で開示する本発明の原理による別の例の蝶番アセンブリの実施形態を示す図である。
【図３４】本明細書で開示する本発明の原理によるさらなる蝶番アセンブリ実施形態を示す図である。
【図３５】本明細書で開示する本発明の原理によるさらなる蝶番アセンブリ実施形態を示す図である。
【図３６】本明細書で開示する本発明の原理によるさらなる蝶番アセンブリ実施形態を示す図である。
【図３７】本明細書で開示する本発明の原理による別の蝶番アセンブリの実施形態を示す図である。
【図３８】本明細書で開示する本発明の原理による別の蝶番アセンブリの実施形態を示す図である。
【図３９】本明細書で開示する本発明の原理による別の蝶番アセンブリの実施形態を示す図である。
【図４０】本明細書で開示する本発明の原理による別の例の蝶番アセンブリ実施形態を示す図である。
【図４１】本明細書で開示する本発明の原理による別の例の蝶番アセンブリ実施形態を示す図である。
【図４２】本明細書で開示する本発明の原理による別の例の蝶番アセンブリ実施形態を示す図である。
【図１】
2009531145.tif 000003
【図２】
2009531145.tif 000004
【図３】
2009531145.tif 000005
【図４Ａ】
2009531145.tif 000006
【図４Ｂ】
2009531145.tif 000007
【図５】
2009531145.tif 000008
【図６】
2009531145.tif 000009
【図７】
2009531145.tif 000010
【図８】
2009531145.tif 000011
【図９】
2009531145.tif 000012
【図１０】
2009531145.tif 000013
【図１１】
2009531145.tif 000014
【図１２Ａ】
2009531145.tif 000015
【図１２Ｂ】
2009531145.tif 000016
【図１３】
2009531145.tif 000017
【図１４】
2009531145.tif 000018
【図１５】
2009531145.tif 000019
【図１６】
2009531145.tif 000020
【図１７】
2009531145.tif 000021
【図１８】
2009531145.tif 000022
【図１９】
2009531145.tif 000023
【図２０】
2009531145.tif 000024
【図２１】
2009531145.tif 000025
【図２２】
2009531145.tif 000026
【図２３】
2009531145.tif 000027
【図２４】
2009531145.tif 000028
【図２５】
2009531145.tif 000029
【図２６】
2009531145.tif 000030
【図２７】
2009531145.tif 000031
【図２８】
2009531145.tif 000032
【図２９】
2009531145.tif 000033
【図３０】
2009531145.tif 000034
【図３１】
2009531145.tif 000035
【図３２】
2009531145.tif 000036
【図３３】
2009531145.tif 000037
【図３４】
2009531145.tif 000038
【図３５】
2009531145.tif 000039
【図３６】
2009531145.tif 000040
【図３７】
2009531145.tif 000041
【図３８】
2009531145.tif 000042
【図３９】
2009531145.tif 000043
【図４０】
2009531145.tif 000044
【図４１】
2009531145.tif 000045
【図４２】
2009531145.tif 000046
【国際調査報告】
2009531145.tif 000047
2009531145.tif 000048
2009531145.tif 000049